(57)【要約】【課題】景品を確実に保護でき、景品のみをケースから取出すことが難しく、景品のすり替え等の不正行為を受ける危険性を回避でき、不正行為を事前に牽制でき、不正行為の抑止効果を発揮でき、組立てが簡単で、取り扱い易く、耐久性に優れ、経済的で、安全性の高い景品カードを提供する。【解決手段】ケースＣと、取付基板Ｂと、有価物品である景品２０と、景品２０を取付基板Ｂの収容孔１０周囲部分と共に囲繞する金属製の景品用プロテクターＡとを少なくとも備え、ケースＣは、裏ケースＣ２と表ケースＣ１とからなり、景品用プロテクターＡは、景品２０の表面がわに配する表側プロテクターＡ１と、景品２０の裏面がわに配する裏側プロテクターＡ２とからなり、表側プロテクターＡ１には、その孔縁部分が景品２０の外周表面部分を覆うことができるような窓孔２を設ける。【選択図】図１
2007229109.tif 000002
【特許請求の範囲】
【請求項１】
パチンコ店等の遊技場の特殊景品として利用される景品カードであって、適宜合成樹脂製のケースと、このケースに内装される取付基板と、この取付基板に適数設けた収容孔に収容される有価物品である景品と、この景品を取付基板の収容孔周囲部分と共に囲繞する適宜金属製の景品用プロテクターとを少なくとも備え、前記ケースは、適宜合成樹脂製の裏ケースと、この裏ケースに固着される透明な適宜合成樹脂製の表ケースとからなり、前記景品用プロテクターは、景品の表面がわに配される表側プロテクターと、景品の裏面がわに配される裏側プロテクターとからなり、表側プロテクターには、その孔縁部分が景品の外周表面部分を覆うことができるような窓孔を設けたことを特徴とする景品カード。
【請求項２】
前記景品より大きな景品取付シートを形成し、この景品取付シートを景品の裏面と裏側プロテクターとの間に介装すると共に、景品裏面に剥離可能に接着したことを特徴とする請求項１記載の景品カード。
【請求項３】
前記表側プロテクターや裏側プロテクターに固定爪片を設け、この固定爪片が挿通或いは収容される差込孔や切欠部を取付基板に設け、固定爪片の折曲げによって、表側プロテクターと裏側プロテクターは、取付基板及び景品を挟むように相互が連結されると共に、取付基板に装着されるように構成したことを特徴とする請求項１または請求項２記載の景品カード。
【請求項４】
前記裏側プロテクターに、景品の厚みに対応するような一対の段部を設け、この段部の間に景品が配されるように形成したことを特徴とする請求項１または請求項２または請求項３記載の景品カード。
【発明の詳細な説明】
【技術分野】
【０００１】
本発明は、例えば、パチンコ店やパチスロ店等の適宜遊技場に於いて特殊景品として利用できる景品カードに係るもので、ケース内に収納されている有価物品である景品（例えば、金製や銀製のプレートやコイン等）のすり替え等の不正行為を防止できるようにすると共に、不正行為を事前に牽制できるようにし、更に、景品を外力から確実に保護できるようにすると共に、その組立てが簡単で、取り扱い易く、耐久性の優れたものとなるように工夫した景品カードに関するものである。
【背景技術】
【０００２】
従来、この種の景品カードとしては、例えば、特許文献１に示すような景品カードやその他のものが多数開示されている。
そして、これらの景品カードは、例えば、窓部に有価物品（景品）を収容してある内蔵カードを、合成樹脂製の透明ケース内に収納して構成したものが数多くある。しかも、ケースや内蔵カードには、セキュリティーのための適宜手段が施されている。
【０００３】
【特許文献１】実用新案登録第３０９００７５号公報（図１、図２）
【発明の開示】
【発明が解決しようとする課題】
【０００４】
しかしながら、前述の如き景品カードにあっては、景品部分に対応しているケースの一部をカッター等で切断して、景品のみをケースから取出すことが比較的簡単に行える難点があった。
そのため、景品（有価物件）のすり替え等の不正行為を受ける危険性が高いものとなっていた。
そこで、本発明は、前述の如き難点等を解消できるようにするのは勿論のこと、「景品をケースから取出すのは難しそうだ」という印象を与えられるように形成して、不正行為を事前に牽制できるようにし、更に、景品を外力から確実に保護できるようにすると共に、その組立てが簡単で、取り扱い易く、耐久性の優れた景品カードを提供できるようにすべく創出されたものである。
【課題を解決するための手段】
【０００５】
しかして、前述の如き課題を達成すべく、本発明の請求項１記載の景品カードにあっては、パチンコ店等の遊技場の特殊景品として利用される景品カードであって、適宜合成樹脂製のケースＣと、このケースＣに内装される取付基板Ｂと、この取付基板Ｂに適数設けた収容孔１０に収容される有価物品である景品２０と、この景品２０を取付基板Ｂの収容孔１０周囲部分と共に囲繞する適宜金属製の景品用プロテクターＡとを少なくとも備え、前記ケースＣは、適宜合成樹脂製の裏ケースＣ２と、この裏ケースＣ２に固着される透明な適宜合成樹脂製の表ケースＣ１とからなり、前記景品用プロテクターＡは、景品２０の表面がわに配される表側プロテクターＡ１と、景品２０の裏面がわに配される裏側プロテクターＡ２とからなり、表側プロテクターＡ１には、その孔縁部分が景品２０の外周表面部分を覆うことができるような窓孔２を設ける手段を採用した。
【０００６】
また、請求項２記載の景品カードにあっては、前記景品２０より大きな景品取付シート２１を形成し、この景品取付シート２１を景品２０の裏面と裏側プロテクターＡ２との間に介装すると共に、景品２０裏面に剥離可能に接着する手段を採用した。
【０００７】
更に、請求項３記載の景品カードにあっては、前記表側プロテクターＡ１や裏側プロテクターＡ２に固定爪片３、６を設け、この固定爪片３、６が挿通或いは収容される差込孔１１や切欠部１２を取付基板Ｂに設け、固定爪片３、６の折曲げによって、表側プロテクターＡ１と裏側プロテクターＡ２は、取付基板Ｂ及び景品２０を挟むように相互が連結されると共に、取付基板Ｂに装着されるように構成する手段を採用した。
【０００８】
そして、請求項４記載の景品カードにあっては、前記裏側プロテクターＡ２に、景品２０の厚みに対応するような一対の段部８を設け、この段部８の間に景品２０が配されるように形成する手段を採用した。
【発明の効果】
【０００９】
従って、本発明の請求項１記載の景品カードによれば、景品２０は、金属製景品用プロテクターＡで確実に保護されるようになり、景品２０部分に対応している表ケースＣ１の一部をカッター等で切断できても、景品２０のみをケースＣから取出すことが難しく、景品２０のすり替え等の不正行為を受ける危険性を回避できるようになる。
【００１０】
特に、景品２０が金属製景品用プロテクターＡで保護されている状態を透明な表ケースＣ１を介して簡単に視認できるため、不正行為を行おうとしているものに、「景品２０をケースＣから取出すのは難しそうだ」という印象を与えられるようになり、不正行為を事前に牽制できるようになって、不正行為の抑止効果を発揮できる景品カードとなる。
【００１１】
しかも、景品用プロテクターＡによって景品２０を外力から確実に保護できるようになり、その組立てが簡単で、取り扱い易く、耐久性に優れ、経済的で、安全性の高い景品カードとなる。
加えて、景品用プロテクターＡ自体に適宜セキュリティー手段を設けることができるようになる。
【００１２】
また、本発明の請求項２記載の景品カードによれば、景品２０を景品取付シート２１に予め接着しておくことにより、景品２０の取扱いが便利となる。すなわち、景品２０を取付基板Ｂの収容孔１０に配置した状態を維持し易くなり、ズレたりすることなくこのままの状態でこれらをケースＣ内に内装し易くなり、組立て作業性の向上に役立つものとなる。しかも、組立て後の景品２０の装着安定性もより優れたものとなる。
加えて、景品取付シート２１自体に適宜セキュリティー手段を設けることができるようになる。
【００１３】
更に、本発明の請求項３記載の景品カードによれば、景品用プロテクターＡの取付基板Ｂへの装着が簡単に行えるようになると共に、景品２０を含めた景品用プロテクターＡの取付基板Ｂへの装着安定がより増すようになる。しかも、景品用プロテクターＡ自体の構成が簡素となる。
【００１４】
そして、本発明の請求項４記載の景品カードによれば、表側プロテクターＡ１と裏側プロテクターＡ２との間に景品２０の収納空間を簡単に設けられるようになると共に、景品用プロテクターＡが景品２０を圧迫することがなくなるようになり、景品２０を綺麗なまま収納しておけるようになる。
【発明を実施するための最良の形態】
【００１５】
以下、本発明を図示例に基づいて説明すると、次の通りである。
本発明の景品カードは、主に、パチンコ店やパチスロ店等の遊技場の特殊景品として利用されるもので、この景品カードは、例えば、全体略矩形薄板状を呈する適宜合成樹脂製のケースＣと、このケースＣに内装される略矩形薄板状の取付基板Ｂと、この取付基板Ｂに適数（例えば、１ヶ所或いは２ヶ所）設けた略矩形状の収容孔１０に収容されると共に、金製或いは銀製で有価物品となる適数（例えば、１個或いは２個）の略矩形板状の景品２０と、この景品２０を取付基板Ｂの収容孔１０周囲部分と共に囲繞する適宜金属製の景品用プロテクターＡとを少なくとも備えたものである。
そして、前記ケースＣは、適宜合成樹脂製の裏ケースＣ２と、この裏ケースＣ２に固着される透明な適宜合成樹脂製の表ケースＣ１とからなり、前記景品用プロテクターＡは、景品２０の表面がわに配される表側プロテクターＡ１と、景品２０の裏面がわに配される裏側プロテクターＡ２とからなり、表側プロテクターＡ１には、その孔縁部分が景品２０の外周表面部分を覆うことができるような略矩形状の窓孔２を設けて構成されている。
【実施例】
【００１６】
前記表側プロテクターＡ１は、例えば、適宜金属製（例えば、ステンレス製等のように耐食性や外観上の体裁が良いものが好ましい）板材によって形成され、適宜形状の基枠部１の中央部分に略矩形状の窓孔２が穿設され、基枠部１の外周縁部分に複数の固定爪片３が連設されている。
【００１７】
また、前記裏側プロテクターＡ２は、例えば、適宜金属製（例えば、ステンレス製等のように耐食性や外観上の体裁が良いものが好ましい）板材によって形成され、適宜形状の基板部５の両側縁部分に一対の段部８が略平行に配され、この段部８の外側縁部分に複数の固定爪片６が連設されている。しかも、基板部５には、その軽量化等を考慮して複数の透孔７等が穿設されている。
ところで、前記段部８は、景品２０の厚みに対応するように設けられると共に、表側プロテクターＡ１がわに突出するように設けられており、表側プロテクターＡ１と裏側プロテクターＡ２との間に景品２０の収納空間を簡単に設けることができて、段部８の間に配されている景品２０を景品用プロテクターＡが圧迫することがなく、景品２０を綺麗なまま収納しておけるように形成されている。
尚、段部８は、取付基板Ｂの厚みと景品２０の厚みを考慮して設定されるようになる。すなわち、表側プロテクターＡ１と裏側プロテクターＡ２を取付基板Ｂを挟んで固定爪片３、６で連結状態としたときに、表側プロテクターＡ１の基枠部１の内表面がわと、裏側プロテクターＡ２の基板部５の内表面がわとの間隔が、景品２０の厚みに略合致するように構成されるようになる。
【００１８】
前記取付基板Ｂは、例えば、適宜合成樹脂材や適宜紙材や適宜複合材等によって略矩形シート状に形成され、その表面には適宜装飾的な印刷を施せるようになっている。
そして、その隅部近傍に略矩形状を呈して景品２０が収まるような収容孔１０が穿設され、この収容孔１０近傍に、差込孔１１や切欠部１２が設けられている。
すなわち、表側プロテクターＡ１や裏側プロテクターＡ２の固定爪片３、６が、取付基板Ｂに設けた差込孔１１や切欠部１２に挿通或いは収容されると共に、適宜折曲げられて、表側プロテクターＡ１と裏側プロテクターＡ２は、取付基板Ｂ及び景品２０を挟むように相互が連結されると共に、取付基板Ｂに装着されるように構成してある。
【００１９】
前記景品２０は、例えば、図示例のような略矩形板状を呈する金製或いは銀製の有価物品でも良いし、或いは、略円形板状を呈する金製或いは銀製のコイン等の有価物品でも良いし、その他の適宜構成のものを利用することができる。
【００２０】
前記景品取付シート２１は、例えば、略帯状の適宜合成樹脂シート材等により構成され、前記景品２０よりかなり長く形成されており、その長手方向中央部分が適宜接着剤を介して景品２０の裏面に剥離可能に接着されるようになっている。すなわち、景品２０を景品取付シート２１に予め接着しておくことにより、比較的小さな景品２０の取扱いがより便利となるように設けられたものである。すなわち、小さな景品２０を直に保持しなくても大きな景品取付シート２１を保持しておくだけで、景品２０を所望位置に配置できるようになる。加えて、景品２０を取付基板Ｂの収容孔１０に配置した状態のまま、これらをケースＣ内に内装し易くなり、組立て作業性の向上に役立つと共に、組立て後の景品２０の装着安定性もより優れたものとなる。
尚、景品取付シート２１自体に適宜セキュリティー手段を設けても良い。
【００２１】
前記ケースＣは、例えば、不透明な適宜合成樹脂製の裏ケースＣ２と、この裏ケースＣ２に固着される透明な適宜合成樹脂製の表ケースＣ１とからなり、裏ケースＣ２は、例えば、その外周部分を残してその上面が僅かに窪んだような略矩形板状に形成され、上面の窪んだ部分には、景品２０や景品取付シート２１や景品用プロテクターＡが既に装着されている取付基板Ｂが収まるように形成されている。
また、表ケースＣ１は、例えば、その外周部分を残してその下面が比較的大きく窪んだような略矩形厚板状に形成され、下面の窪んだ部分には、裏ケースＣ２が綺麗に収まるように形成されている。
尚、表ケースＣ１と裏ケースＣ２は、適宜接着手段や適宜溶着手段等によって固着されるようになる。
【００２２】
ところで、景品カードの具体的構成、形状、寸法、材質、景品用プロテクターＡの具体的構成、形状、寸法、材質、配設位置、数、表側プロテクターＡ１の具体的構成、形状、寸法、材質、配設位置、数、裏側プロテクターＡ２の具体的構成、形状、寸法、材質、配設位置、数、基枠部１の具体的構成、形状、寸法、材質、窓孔２の具体的構成、形状、寸法、配設位置、固定爪片３の具体的構成、形状、寸法、材質、配設位置、数、基板部５の具体的構成、形状、寸法、材質、固定爪片６の具体的構成、形状、寸法、材質、数、配設位置、透孔７の具体的構成、形状、寸法、配設位置、数、段部８の具体的構成、形状、寸法、材質、配設位置、取付基板Ｂの具体的構成、形状、寸法、材質、収容孔１０の具体的構成、形状、寸法、数、配設位置、差込孔１１の具体的構成、形状、寸法、数、配設位置、切欠部１２の具体的構成、形状、寸法、数、配設位置、景品２０の具体的構成、形状、寸法、材質、数、配設位置、景品取付シート２１の具体的構成、形状、寸法、材質、配設位置、ケースＣの具体的構成、形状、寸法、材質、表ケースＣ１の具体的構成、形状、寸法、材質、裏ケースＣ２の具体的構成、形状、寸法、材質等は、図示例のも野等に限定されることなく、適宜自由に設定、変更できるものである。
尚、景品用プロテクターＡや、取付基板Ｂや、ケースＣや、景品取付シート２１等には、適宜セキュリティー手段を適数設けることができる。
【図面の簡単な説明】
【００２３】
【図１】本発明の景品カードを例示する分解斜視図である。
【図２】本発明の景品カードを例示する平面図である。
【図３】本発明の景品カードを例示する部分縦断面図である。
【符号の説明】
【００２４】
Ａ    景品用プロテクター
Ａ１  表側プロテクター
Ａ２  裏側プロテクター
１    基枠部
２    窓孔
３    固定爪片
５    基板部
６    固定爪片
７    透孔
８    段部
Ｂ    取付基板
１０  収容孔
１１  差込孔
１２  切欠部
２０  景品
２１  景品取付シート
Ｃ    ケース
Ｃ１  表ケース
Ｃ２  裏ケース
【図１】
2007229109.tif 000003
【図２】
2007229109.tif 000004
【図３】
2007229109.tif 000005